(57)【特許請求の範囲】
【請求項１】
加湿ユニット本体用底フレーム(１０)上に加湿ロータ(１２)が水平に配置され、上記加湿ユニット本体用底フレーム(１０)上の上記加湿ロータ(１２)の側方に加湿ファン部(１１)が配置された加湿ユニットであって、
上記加湿ファン部(１１)は、
加湿ファン(２０)を収納する加湿ファン用ハウジング(２３)と、
上記加湿ファン用ハウジング(２３)の下側に配置されたベルマウス(２４)とを有し、
上記加湿ファン部(１１)の上記ベルマウス(２４)と上記加湿ユニット本体用底フレーム(１０)との間に、上記加湿ロータ(１２)を通った空気が上記加湿ファン(２０)により吸い込まれる吸い込み通路(２５)を形成するように、上記ベルマウス(２４)の下側および上記加湿ユニット本体用底フレーム(１０)の上記ベルマウス(２４)に対向する側に、互いに嵌合するシール部(２４c,１０a)を夫々設けたことを特徴とする加湿ユニット。
【請求項２】
請求項１に記載の加湿ユニットにおいて、
上記加湿ファン用ハウジング(２３)と上記加湿ユニット本体用底フレーム(１０)によって上記ベルマウス(２４)を挟み込んで固定していることを特徴とする加湿ユニット。
【請求項３】
請求項１または２に記載の加湿ユニットにおいて、
上記加湿ファン用ハウジング(２３)の上側に配置され、加湿ファン用モータ(２１)を固定するためのモータ固定板(２２)を備え、
上記モータ固定板(２２)と上記ベルマウス(２４)によって上記加湿ファン用ハウジング(２３)を挟み込んで固定していることを特徴とする加湿ユニット。
【請求項４】
請求項１乃至３のいずれか１つに記載の加湿ユニットにおいて、
上記モータ固定板(２２)と上記加湿ユニット本体用底フレーム(１０)によって上記ベルマウス(２４)と上記加湿ファン用ハウジング(２３)を挟み込んで固定していることを特徴とする加湿ユニット。
【発明の詳細な説明】
【０００１】
【発明の属する技術分野】
この発明は、加湿空気を室内に供給する加湿ユニットに関する。
【０００２】
【従来の技術および発明が解決しようとする課題】
従来より、加湿ユニットは、様々な個別部品の組み合わせにより製作されていた。しかしながら、上記加湿ユニットでは、さらにコストを低減することが要求されている。
【０００３】
そこで、この発明の目的は、さらなる低コスト化が可能な加湿ユニットを提供することにある。
【０００４】
【課題を解決するための手段】
上記目的を達成するため、請求項１の加湿ユニットは、加湿ユニット本体用底フレーム上に加湿ロータが水平に配置され、上記加湿ユニット本体用底フレーム上の上記加湿ロータの側方に加湿ファン部が配置された加湿ユニットであって、上記加湿ファン部は、加湿ファンを収納する加湿ファン用ハウジングと、上記加湿ファン用ハウジングの下側に配置されたベルマウスとを有し、上記加湿ファン部の上記ベルマウスと上記加湿ユニット本体用底フレームとの間に、上記加湿ロータを通った空気が上記加湿ファンにより吸い込まれる吸い込み通路を形成するように、上記ベルマウスの下側および上記加湿ユニット本体用底フレームの上記ベルマウスに対向する側に、互いに嵌合するシール部を夫々設けたことを特徴としている。
【０００５】
上記請求項１の加湿ユニットによれば、上記ベルマウスの下側および上記加湿ユニット本体用底フレームの上記ベルマウスに対向する側に夫々設けられたシール部が互いに嵌合することによって、シール材を用いることなく、ベルマウスと加湿ユニット本体用底フレームとの間をシールするので、コストを削減できる。
【０００６】
【０００７】
また、加湿ユニットに必要な構成部材である加湿ユニット本体用底フレームと加湿ファン部のベルマウスと間に吸い込み通路を形成することにより、別に吸い込み通路を形成する部材を用いる必要がないので、コストをさらに削減できる。
【０００８】
また、請求項２の加湿ユニットは、請求項１の加湿ユニットにおいて、上記加湿ファン用ハウジングと上記加湿ユニット本体用底フレームによって上記ベルマウスを挟み込んで固定していることを特徴としている。
【０００９】
上記請求項２の加湿ユニットによれば、上記加湿ファン用ハウジングと上記加湿ユニット本体用底フレームにより上記ベルマウスを挟み込んで固定することによって、加湿ファン用ハウジングとベルマウスとの間および加湿ユニット本体用底フレームとベルマウスとの間からの空気漏れを防止し、風量の低下および騒音の発生を防止できる。
【００１０】
また、請求項３の加湿ユニットは、請求項１または２の加湿ユニットにおいて、上記加湿ファン用ハウジングの上側に配置され、加湿ファン用モータを固定するためのモータ固定板を備え、上記モータ固定板と上記ベルマウスによって上記加湿ファン用ハウジングを挟み込んで固定していることを特徴としている。
【００１１】
上記請求項３の加湿ユニットによれば、上記加湿ファン用ハウジングの上側に配置されたモータ固定板と上記ベルマウスにより加湿ファン用ハウジングを挟み込んで固定することによって、ベルマウスおよび加湿ファン用ハウジングとの間からの空気漏れを防止し、風量の低下および騒音の発生を防止できる。
【００１２】
また、請求項４の加湿ユニットは、請求項１乃至３のいずれか１つの加湿ユニットにおいて、上記モータ固定板と上記加湿ユニット本体用底フレームによって上記ベルマウスと上記加湿ファン用ハウジングを挟み込んで固定していることを特徴としている。
【００１３】
上記請求項４の加湿ユニットによれば、上記モータ固定板と加湿ユニット本体用底フレームによりベルマウスと加湿ファン用ハウジングを挟み込んで固定することによって、モータ取付板,加湿ファン用ハウジング,ベルマウスおよび加湿ユニット本体用底フレームを一体化でき、かつ、ベルマウスと加湿ファン用ハウジングとの間および加湿ユニット本体用底フレームとベルマウスとの間からの空気漏れを防止し、風量の低下および騒音の発生を防止できる。
【００１４】
【発明の実施の形態】
以下、この発明の加湿ユニットを図示の実施の形態により詳細に説明する。
【００１５】
図１はこの発明の実施の一形態の加湿ユニットを用いた空気調和機の概略ブロック図であり、１は室内ユニット、２は室外ユニット、３は上記室外ユニット２の上部に配置された加湿ユニット、４は上記室内ユニット１と加湿ユニット３とを接続する加湿ホース４である。この加湿ユニットを用いた空気調和機は、暖房運転時に、加湿ユニット３から加湿ホース４を介して室内ユニット１に加湿空気を供給して、室内を加湿する。
【００１６】
図２は上記加湿ユニット３を用いた空気調和機の室外ユニット２の斜視図を示しており、図２では、加湿ユニット本体用の底フレーム１０を除いて加湿ユニット３が取り外された状態を示している。
【００１７】
また、図３は図２に示す加湿ユニット３の底フレーム１０に加湿ファン部１１を取り付けた状態を示す上面図である。上記底フレーム１０の略中央に加湿ロータ１２を水平に配置し、加湿ロータ１２の右側に配置された加湿ファン部１１によって、加湿ロータ１２を通って加湿された空気を吸い込んで、加湿ホース４(図１に示す)に吹き込む。
【００１８】
また、図４は図３に示す加湿ファン部１１の拡大上面図であり、２１は加湿ファン用モータ、２２は上記加湿ファン用モータ２１を取り付けるモータ取付板、２３は加湿ファン用ハウジングである。上記加湿ファン用モータ２１をモータ取付板２２に、３つのねじ３０により固定している。
【００１９】
また、図５は図４に示す加湿ファン部１１および底フレーム１０の要部を矢印Ｒ１の方向から見た側面図である。なお、図５では、図を見やすくするため、加湿ファン用モータ２１を取付板２２に固定する部分は省略している。
【００２０】
図５に示すように、加湿ファン用ハウジング２３内に、加湿ファン用モータ２１の軸２１aに固定された加湿ファン２０を配置している。そして、加湿ファン用ハウジング２３の下側に、吸込口２４aを有するベルマウス２４を取り付け、そのベルマウス２４と底フレーム１０との間に吸い込み通路２５を形成している。
【００２１】
図５の領域Ａの部分断面に示すように、ベルマウス２４の下側に溝２６を有する凸部２４cを設け、その凸部２４cの溝２６に、底フレーム１０に立設された凸部１０aの先端が嵌合して、吸い込み通路２５をシールしている。上記底フレーム１０の凸部１０aは、図２に示すように、略Ｕ字形状に設けられており、その底フレーム１０の凸部１０aに対向するようにベルマウス２４の溝２６を有する凸部２４cが設けられている。上記ベルマウス２４の溝２６を有する凸部２４cと底フレーム１０の凸部１０aでシール部を構成している。
【００２２】
また、上記ベルマウス２４の下側に下方に延びる円筒部２４bを設け、その円筒部２４bの先端を、底フレーム１０に形成された円筒部１０bの入口側に嵌合している。また、上記加湿ファン用ハウジング２３を底フレーム１０にねじ３４により固定して、加湿ファン用ハウジング２３と底フレーム１０でベルマウス２４を挟み込んでいる。また、モータ取付板２２を底フレーム１０にねじ３１,３２,３３(３２,３３は図４に示す)により固定して、モータ取付板２２と底フレーム１０で加湿ファン用ハウジング２３,ベルマウス２４を挟み込んでいる。
【００２３】
また、図６は図４に示す加湿ファン部１１を矢印Ｒ２の方向から見た側面図を示しており、図６では底フレーム１０は省略している。図６に示すように、加湿ファン用ハウジング２３の下側の外周に設けられた複数の係合爪２３aが、ベルマウス２４の外周に設けられた複数の係合部２４aに係合することによって、加湿ファン用ハウジング２３にベルマウス２４を固定している。また、モータ取付板２２をベルマウス２４にねじ４１,４２および４３(４３は図４に示す)により固定して、モータ取付板２２とベルマウス２４で加湿ファン用ハウジング２３を挟み込んでいる。
【００２４】
上記構成の加湿ユニット３において、加湿ファン２０によって吸い込み通路２５からベルマウス２４の吸込口２４aを介して吸い込まれた加湿空気は、ベルマウス２４の円筒部２４bから底フレーム１０の円筒部１０bを通って加湿ホース４(図１に示す)に吹き込まれる。そうして、加湿ホース４を介して室内ユニット１(図１に示す)から室内に加湿空気が供給される。
【００２５】
このように、上記ベルマウス２４の下側に設けられた溝２６を有する凸部２４cに、底フレーム１０のベルマウス２４に対向する側に設けられた凸部１０aが嵌合することによって、シール材を用いることなく、ベルマウス２４と底フレーム１０との間をシールするので、コストを削減することができる。
【００２６】
また、上記加湿ユニット３に必要な構成部材である底フレーム１０の一部を吸い込み通路２５とすることにより、コストを削減することができる。
【００２７】
また、上記加湿ファン用ハウジング２３と底フレーム１０によりベルマウス２４を挟み込んで固定することによって、加湿ファン用ハウジング２３とベルマウス２４との間および底フレーム１０とベルマウス２４との間からの空気漏れを防止し、風量の低下および騒音の発生を防止することができる。
【００２８】
また、上記モータ固定板２２とベルマウス２４により加湿ファン用ハウジング２３を挟み込んで固定することによって、ベルマウス２４および加湿ファン用ハウジング２３との間からの空気漏れを防止し、風量の低下および騒音の発生を防止することができる。
【００２９】
また、上記モータ固定板２２と底フレーム１０によりベルマウス２４と加湿ファン用ハウジング２３を挟み込んで固定することによって、モータ取付板２２,加湿ファン用ハウジング２３,ベルマウス２４および底フレーム１０を一体化でき、かつ、ベルマウス２４と加湿ファン用ハウジング２３との間および加湿ユニット本体用底フレーム１０とベルマウス２４との間からの空気漏れを防止し、風量の低下および騒音の発生を防止できる。
【００３０】
【発明の効果】
以上より明らかなように、請求項１の発明の加湿ユニットによれば、加湿ユニット本体用底フレーム上に加湿ロータが水平に配置され、上記加湿ユニット本体用底フレーム上の上記加湿ロータの側方に加湿ファン部が配置された加湿ユニットであって、上記加湿ファン部は、加湿ファンを収納する加湿ファン用ハウジングと、上記加湿ファン用ハウジングの下側に配置されたベルマウスと、上記ベルマウスの下側に配置された加湿ユニット本体用底フレームとを有し、上記加湿ファン部のベルマウスと加湿ユニット本体用底フレームとの間に、加湿ロータを通った空気が加湿ファンにより吸い込まれる吸い込み通路を形成するように、上記ベルマウスの下側および上記加湿ユニット本体用底フレームのベルマウスに対向する側に夫々設けられたシール部が互いに嵌合することによって、シール材を用いることなく、ベルマウスと加湿ユニット本体用底フレームとの間をシールするので、コストを削減することができる。
【００３１】
また、加湿ユニットに必要な構成部材である加湿ユニット本体用底フレームと加湿ファン部のベルマウスとの間に吸い込み通路を形成することにより、別に吸い込み通路を形成する部材を用いる必要がないので、コストをさらに削減することができる。
【００３２】
また、請求項２の発明の加湿ユニットによれば、請求項１の加湿ユニットにおいて、上記加湿ファン用ハウジングと上記加湿ユニット本体用底フレームにより上記ベルマウスを挟み込んで固定することによって、加湿ファン用ハウジングとベルマウスとの間および加湿ユニット本体用底フレームとベルマウスとの間からの空気漏れを防止し、風量の低下を防ぐと共に、騒音の発生を防止することができる。
【００３３】
また、請求項３の発明の加湿ユニットによれば、請求項１または２の加湿ユニットにおいて、上記加湿ファン用ハウジングの上側に配置され、加湿ファン用モータを固定するためのモータ固定板を備え、上記モータ固定板と上記ベルマウスにより上記加湿ファン用ハウジングを挟み込んで固定することによって、ベルマウスおよび加湿ファン用ハウジングとの間からの空気漏れを防止し、風量の低下を防ぐと共に、騒音の発生を防止することができる。
【００３４】
また、請求項４の発明の加湿ユニットによれば、請求項１乃至３のいずれか１つの加湿ユニットにおいて、上記モータ固定板と加湿ユニット本体用底フレームによりベルマウスと加湿ファン用ハウジングを挟み込んで固定することによって、モータ取付板,加湿ファン用ハウジング,ベルマウスおよび加湿ユニット本体用底フレームを一体化することができ、かつ、ベルマウスと加湿ファン用ハウジングとの間および加湿ユニット本体用底フレームとベルマウスとの間からの空気漏れを防止し、風量の低下および騒音の発生を防止できる。
【図面の簡単な説明】
【図１】図１はこの発明の実施の一形態の加湿ユニットを用いた空気調和機の概略ブロック図である。
【図２】図２は上記加湿ユニットを用いた空気調和機の室外ユニットの斜視図である。
【図３】図３は図２に示す加湿ユニットの底フレームに加湿ファン部を取り付けた状態を示す上面図である。
【図４】図４は図３に示す加湿ファン部の拡大上面図である。
【図５】図５は図４に示す加湿ファン部および底フレームを矢印Ｒ１の方向から見た側面図である。
【図６】図６は図４に示す加湿ファン部を矢印Ｒ２の方向から見た側面図である。
【符号の説明】
１…室内ユニット、
２…室外ユニット、
３…加湿ユニット、
４…加湿ホース、
１０…底フレーム、
１０a…凸部、
１１…加湿ファン部、
２０…加湿ファン、
２１…加湿ファン用モータ、
２２…モータ取付板、
２３…加湿ファン用ハウジング、
２４…ベルマウス、
２４c…凸部、
２５…吸い込み通路、
２６…溝。
【図１】
0003598962.tif 000002
【図２】
0003598962.tif 000003
【図３】
0003598962.tif 000004
【図４】
0003598962.tif 000005
【図５】
0003598962.tif 000006
【図６】
0003598962.tif 000007